(57)【要約】      （修正有）【課題】模様の周囲に焼き網の線材の跡がパンに残らないようにしたトースターを提供する。【解決手段】加熱室１内に上下一つずつ以上のヒーター４，５と前記上下ヒーター４．５の間に位置する焼き網３と前期焼き網３の上側に回動自在に保持し、上ヒーターからの輻射熱を遮蔽し、パン上面に焼き残しによる模様を付けるようにした。【選択図】  図１
2004353880.tif 000002
【特許請求の範囲】
【請求項１】
加熱室内に、少なくとも上下一つずつのヒーターと、前記上下ヒーターの間に位置する焼き網とを備え、前記焼き網上側に、前記上ヒーターからの輻射熱を遮蔽し、パン面に焼き残しによる模様を付ける模様板を回動自在に保持するトースター。
【請求項２】
模様板は線材で加工された模様板保持部材に固定され、前記模様板保持部材の焼き網との回動部を上下に長い穴を形成し回動自在に保持した請求項１項記載のトースター。
【請求項３】
長穴の回動部の一部を切り欠き、模様板保持部材と焼き網を着脱自在にした請求項２項記載のトースター。
【請求項４】
模様板保持部材は扉側端部を上方に傾斜させた請求項１から３のいずれか１項に記載のトースター。
【請求項５】
同模様板あるいは異なる模様板を複数個有する請求項１から４のいずれか１項に記載のトースター。
【発明の詳細な説明】
【０００１】
【発明の属する技術分野】
本発明は、スライスされた平面部を有するパンを焼く時にパンの表面に模様柄の焦げ残しを作るようにしたトースターに関するものである。
【０００２】
【従来の技術】
従来この種のトースターは、例えば、近年キャラクターの模様を食パンを焼く時に焦げの濃淡でパン面に作ることが増えているが焼き網の上にキャラクター等の形をした模様板を取り付けているものがあった（例えば、特許文献１参照）。
【０００３】
以下に従来のパン面に模様を付けるトースターの一例について説明する。
【０００４】
図６は、加熱室１内に食パン２が載置される焼き網３がほぼ水平に設けられ、前記焼き網３の下方に下ヒーター４、上方に上ヒーター５が設けられたトースターであって、前記焼き網３は線材で構成され、その上に載置された食パン２の下面に模様柄を付けるため模様板６を前記焼き網３の上面から前記模様板６の厚み分を突出させ、前記パン２の下面に当接し、下ヒーター４からの熱を遮蔽し焼き残しを作るものであった。
【０００５】
【特許文献１】
実開昭４９−１０９８６７号公報
【０００６】
【発明が解決しようとする課題】
しかし、この様な構成では下ヒーター４からの熱を遮蔽し焼き残しを作るものであるため模様柄以外にパンを載置している焼き網の線材の跡が多数模様として残り、模様柄の見栄えがよくないものであった。
【０００７】
【課題を解決するための手段】
前記従来の課題を解決するために、本発明のトースターは、加熱室内に、少なくとも上下一つずつのヒーターと、前記上下ヒーターの間に位置する焼き網とを備え、前記焼き網の上側に回動自在に保持し、上ヒーターからの輻射熱を遮蔽し、パン上面に焼き残しによる模様を付けるようにしたものである。
【０００８】
【発明の実施の形態】
請求項１に記載の発明は、加熱室にほぼ水平にパンを載置する焼き網と前記焼き網の下に下ヒーター、上に上ヒーターを備え、前記焼き網の上面には模様板を固定している保持部材を回動自在に保持したことを特徴としているトースターであり、上ヒーターからの輻射熱を模様板で遮蔽することでパン上面に模様を形成することにより、模様の周囲に焼き網の線材の跡が多数残らなく本来の模様の見栄えがよくなるという効果を有する。
【０００９】
請求項２記載の発明は、請求項１項記載の構成に於いて、上ヒーターからの輻射熱を遮蔽し、パン面に焼き残しによる模様を付ける模様板は線材等で加工された模様板保持部材に固定され、模様板保持部材の焼き網との回動部を上下に長い穴を形成し回動自在に保持したことを特徴としたトースターであり、いろいろな厚みのパンにおいても回動軸芯が上下に可動となり模様板がパン上面に平行に載置できるようにしたものである。
【００１０】
請求項３記載の発明は、請求項２項記載の構成に於いて、前記長穴の回動部の一部を切り欠き、模様板保持部材と焼き網を着脱可能にしたものでありパン焼き時に模様が不要の場合やトースト以外の調理時に模様板を取り外すことができるものである。また取り外すことにより汚れの洗浄性がよく清潔に保てるという効果を有する。
【００１１】
請求項４記載の発明は、請求項１〜３項のいずれか１項に記載の構成に於いて、前記模様板の保持部材は扉側端部を上方に傾斜させたことを特徴としたトースターであり、パンを焼き網と模様板の間に挿入する時に容易に挿入することができる効果を有する。
【００１２】
請求項５記載の発明は、請求項１から４項のいずれか１項に記載の構成に於いて、同模様板あるいは異なる模様板を複数個有することを特徴としたトースターであり、複数枚パンを焼く場合、複数枚とも模様のあるパンを焼いたり、あるいは模様のあるものとないものを同時に焼くことができる。
【００１３】
【実施例】
以下本発明の実施例について、図面を参照しながら説明する。
【００１４】
（実施例１）
図１は本発明の実施例１のトースターの断面図、図２は同トースターの模様板を取付けた焼き網の拡大断面図である。
【００１５】
図に示すように、３は加熱室１にほぼ水平にパン２を載置する焼き網３であり、前記焼き網３の下方に下ヒーター４、上方に上ヒーター５を備え、前期焼き網３には保持部材９に固定された模様板６を焼き網３の上面に設けたことを特徴としたトースターであり、パン２の上面への模様の形成は上ヒーター５からの輻射熱を模様板６で遮蔽することで形成して模様が付いたパン２を得ることができる。
【００１６】
図３は焼き網３の斜視図である。図に示すように、パン２の焼き網３を線材で構成した外枠７と外枠７の対面に間隔を置いて配置した直線材８を外枠７に固定されている。保持部材９には模様板３が固定されており、加熱室１の奥側端部は線材等で長穴部１２を形成して焼き網３の外枠７に回動自在に取り付けられている。そのため厚さの違うパンにも模様板６はパン２に平行に密着することができ、パンの厚さに関係なく、くっきりとした焼き模様を得ることができる。
【００１７】
また、長穴部１２は焼き網３の外枠７の太さより若干大きい切り欠き部１３があり焼き網３と着脱可能な構造となっているため、パン焼き時に模様が不要の場合やトースト以外の調理時に模様板を取り外すことができるものである。
【００１８】
また複数枚パンを焼く場合にあっても焼き模様の違うパンを焼いたり、１枚は模様あり、他は模様なし等自由に選択することができる。もちろんパン以外の調理を行う場合は取り外せばよい。
【００１９】
また取り外すことにより汚れの洗浄性がよく清潔に保てるという効果を有する。
【００２０】
また、保持部材９の扉１０側端部の傾斜部１４は上側に傾斜しているため傾斜部１４がパン挿入のガイドとなってパン２を焼き網３と模様板６に容易に挿入することができる。
【００２１】
図４は焼き網３を着脱可能に加熱室１内に保持したトースターの断面図である。図５は焼き網３が外れたトースターの断面図である。図に示すように、扉１０の開閉に連動した支持部材１１を設け、その上に焼き網３を載置することを特徴としたトースターであり、焼き網３は扉１０と独立した支持構成となり容易に着脱でき、汚れの洗浄性がよく調理器具として清潔が保つことができる。
【００２２】
【発明の効果】
以上のように本発明によれば、模様の周囲に焼き網の線材の跡がパンに残らないため見栄えのよい模様をパンに面に形成することができる。
【図面の簡単な説明】
【図１】本発明の実施例１のトースターの断面図
【図２】同トースターの模様板を取付けた焼き網の拡大断面図
【図３】焼き網と模様版、保持部材の斜視図
【図４】焼き網を着脱可能に加熱室内に保持したトースターの断面図
【図５】焼き網が外れたトースターの断面図
【図６】従来の模様焼き用トースターの断面図
【符号の説明】
１  加熱室
３  焼き網
４  下ヒーター
５  上ヒーター
６  模様板
７  外枠
８  直線材
９  保持部材
１０  扉
１１  支持部材
１２  長穴部
１３  切り欠き部
１４  傾斜部
【図１】
2004353880.tif 000003
【図２】
2004353880.tif 000004
【図３】
2004353880.tif 000005
【図４】
2004353880.tif 000006
【図５】
2004353880.tif 000007
【図６】
2004353880.tif 000008